(57)【特許請求の範囲】
【請求項１】
・コンベアを介し接続された充填マシン（ＦＭ）と、１つ以上の下流側分配機器（ＤＥ）とを備え、前記充填マシンは、食品を含むシールされたパッケージを製造するように作動でき、各分配機器は、個々のシールされたパッケージまたはシールされたパッケージのグループに対し、対応する作業を実施するように作動でき、前記充填マシンおよび各分配機器は、１つ以上のソフトウェアモジュールを記憶し、実行するようになっている電子制御システムを含むパッケージングライン（ＰＬ）と、
・ディスプレイ、キーボードおよび前記充填マシンおよび各分配機器内のソフトウェアモジュールと協働するようになっている１つ以上のソフトウェアアプリケーションを記憶し、実行するように設計された処理システムとを含み、前記パッケージングラインのコンフィギュレーション、通信および制御を管理するようにプログラムされたラインコントローラ（ＬＣ）と、
・前記ラインコントローラを前記充填マシンおよび各分配機器に接続するように設計された通信ネットワークとを備え、
前記充填マシンおよび各分配機器は、１つ以上の選択可能な記憶された機器レシピを記憶し、実施するように作動でき、充填マシンのための機器レシピは、充填マシンによって製造すべきシールされたパッケージのタイプを定め、分配機器のための機器レシピは、前記分配機器によって実行すべき作業を定め、
前記ラインコントローラ（ＬＣ）は１つ以上の選択可能なラインレシピを記憶し、実施するように構成され、前記ラインレシピの各々は、前記パッケージングラインによって製造すべき対応する最終パッケージユニットを定め、実現されるときに、前記最終パッケージユニットの製造に関与する前記充填マシンおよび前記分配機器が、対応する機器レシピを実施するようにさせ、
前記ラインレシピは：
前記最終パッケージユニットに含まれる前記充填マシンと、分配機器とコンベアと、
前記最終パッケージユニットの製造のための前記充填マシン及び前記分配機器によって実施されるべき機器レシピと、
前記最終パッケージユニットの製造のための前記充填マシン及び前記分配機器とコンベアによって使用されるライン自動化パラメータと、
を指定し、
前記ラインコントローラ内の前記ソフトウェアアプリケーションは、
・選択されたラインレシピ中で特定された機器レシピを、前記最終パッケージユニットの製造のために実施されるように、前記選択されたラインレシピ中で特定された前記充填マシン及び前記分配機器内のソフトウエアモジュールと共働すること、及び
前記選択されたラインレシピに含まれているライン自動化パラメータを、前記選択されたラインレシピ中で特定されている充填機器及び分配機器にダウンロードすること、により実現するように前記パッケージングラインを自動的に構成するようになっているレシピマネージャーを含む、パッケージングシステム（ＰＳ）。
【請求項２】
前記レシピマネージャーは、更にラインレシピを作成し、記憶することを可能にし、グラフィカルユーザーインターフェース（ＧＵＩ）を通してラインレシピを作成し、記憶することを可能にし、更に実現のために記憶されたラインレシピを選択できるようにする、請求項１に記載のパッケージングシステム。
【請求項３】
前記レシピマネージャーは、次のタスク、すなわち
・キーとなる製造パラメータを制御する際の人への依存性を低減するための、製造のインターロッキング、
・ラインと機器レシピの間のミスマッチを防止するための機器のインターロッキング、
・パッケージングラインのレイアウトコンフィギュレーションにおけるミスマッチを防止するためのレイアウトのインターロッキング、
・充填マシンおよび分配機器で使用される材料のタイプと、選択された前記ラインレシピ内で定められた材料のタイプとの間のミスマッチを防止するための、製造材料のインターロッキング、および
・前記選択されたラインレシピに関連する工場のフロアデータを、パッケージングラインモニタシステム（ＰＬＭＳ）に自動的に提供するようになっているデータハンドラーのうちの１つ以上を更に実行するようになっている、請求項１または請求項２に記載のパッケージングシステム。
【請求項４】
機器レシピは、
・製造すべきシールされたパッケージまたはパッケージユニットのタイプ、または実行すべき作業の特徴を示す、レシピ定義パラメータと、
・前記レシピ定義パラメータによって定義されるシールパッケージ、パッケージユニットのタイプまたは作業に対して固有な、レシピに依存する作動パラメータとを指定する、請求項１〜３のうちのいずれか１項に記載のパッケージングシステム。
【請求項５】
前記ラインコントローラ内の前記ソフトウェアアプリケーションは、
・スタート／ストップポリシーに従って製造に関与する前記充填マシンおよび前記分配機器をスタート／停止させ、製造中にフロー制御ポリシーに従って前記充填マシンおよび関与する分配機器の製造容量および作動パラメータをダイナミックにレギュレートするようになっているラインコマンダーを更に含み
前記スタート／ストップポリシーは、前記充填マシンおよび前記分配機器のいずれかのスタート／ストップの後に前記充填マシンおよび分配機器のスタート／ストップシーケンスおよび遅延を定め、よって製造のスタート／ストップ過渡フェーズ中に、関与する分配機器の入口において、所定の値よりも長い長さを有するパッケージの待ち行列の形成を防止するようになっており、
前記フロー制御ポリシーは、前記コンベアの動作速度及び前記充填マシン及び関与する分配機器の製造容量を規定し、複数のパッケージ間、またはパッケージユニット間の距離を実質的に一定にし、よって、作動中の関与する分配機器の入口において、パッケージまたはパッケージユニットが押し潰されることを防止し、所定の値よりも長い長さを有するパッケージの待ち行列が形成されることを防止することができる、請求項１〜４のうちのいずれか１項に記載のパッケージングシステム。
【請求項６】
前記ラインレシピ中の、前記ライン自動化パラメータは、前記スタート／ストップポリシー及びフロー制御ポリシーの動作パラメータを含む、請求項５に記載のパッケージングシステム。
【請求項７】
前記ラインコマンダーは、更に前記充填マシンまたは関与する分配機器の他のものがまだウォームアップ中のときに、これら充填マシンまたは関与する分配機器の完全なウォームアップを防止するようになっている省エネポリシーに従って、前記充填マシンおよび関与する分配機器のウォームアップをスタートするようになっている、請求項５に記載のパッケージングシステム。
【請求項８】
前記ラインコマンダーは、更に周辺作動条件に基づき、前記充填マシンおよび関連する各分配機器のためにウォームアップスタート時間を設定できるようになっている、請求項７に記載のパッケージングシステム。
【請求項９】
前記ラインコマンダーは、更に前記充填マシンおよび前記関与する分配機器の作動をモニタし、この作動に関する視覚情報を提供するようになっている、請求項５〜８のうちのいずれか１項に記載のパッケージングシステム。
【請求項１０】
共通するオーバーヘッドメッセージディスプレイを更に備え、前記ラインコマンダーは、前記共通するオーバーヘッドメッセージディスプレイを介して基本的視覚情報を提供し、更に前記ラインコントローラディスプレイを介して詳細な視覚情報を提供するようになっている、請求項９に記載のパッケージングシステム。
【請求項１１】
前記ラインコントローラ内の前記ソフトウェアアプリケーションは、更に、
・ラインコンフィギュレータを含み、このラインコンフィギュレータは、グラフィカルユーザーインターフェース（ＧＵＩ）を介して、選択可能／実施可能な次のコンフィギュレーション機能、すなわち
−前記パッケージングライン内の前記充填マシン、分配機器およびコンベアの自動検出および識別、並びにこれらの製造／作動容量の自動的アップロードと、
−充填マシン、分配機器およびコンベアのグラフィック表示を含むパッケージングラインのレイアウトのグラフィック描画と、
−充填マシン、分配機器およびコンベアのグラフィック表示と識別された充填マシン、分配機器およびコンベアとの関連付けと、
−前記パッケージングライン内の前記識別された充填マシン、分配機器およびコンベアの前記製造／作動パラメータ、および前記パッケージングラインの一般的自動化パラメータの設定を提供するようになっている、請求項１〜１０のうちのいずれか１項に記載のパッケージングシステム。
【請求項１２】
前記充填マシン、分配機器およびコンベアの自動検出および識別、並びにこれらの製造／作動能力の自動アップロードに関連するコンフィギュレーション機能は、
・前記充填マシンおよび前記分配機器への識別リクエストのディスパッチと、
・前記充填マシンおよび前記分配機器からの識別データの受信と、
・前記識別された充填マシン及び分配機器への、製造容量に関するものを含む製造関連情報のディスパッチと、
・前記識別された充填マシンおよび前記分配機器からの製造情報の受信とを含む、請求項１１に記載のパッケージングシステム。
【請求項１３】
前記パッケージングラインのレイアウトのグラフィック描画に関連する機能において、前記グラフィカルユーザーインターフェースは、複数のディスプレイピクセルに分解されたディスプレイ領域を提供し、ピクセルがクリックオンされたときに、各ディスプレイピクセルにおける充填マシン、分配機器およびコンベアのグラフィック表示をディスプレイするようになっている、請求項１１または１２に記載のパッケージングシステム。
【請求項１４】
前記充填マシン、分配機器およびコンベアのグラフィック表示を、前記識別された充填マシン、分配機器およびコンベアに関連付けることに関連する機能は、
・充填マシン、分配機器及びコンベアと、識別された充填マシン、分配機器及びコンベアの間の誤った関連付けを防止するための関連付けチェックを含む、請求項１１〜１３のうちのいずれか１項に記載のパッケージングシステム。
【請求項１５】
前記ラインコントローラにおける前記ソフトウェアアプリケーションは、更に、
・コンベアオプティマイザーを備え、このコンベアオプティマイザーは、グラフィカルユーザーインターフェース（ＧＵＩ）を介して、選択可能／実現可能な下記の最適化機能、
−前記パッケージングライン内の各コンベアの作動パラメータの設定および
−コンベア潤滑およびクリーニングユニットの作動を実行するようになっている、請求項１〜１４のうちのいずれか１項に記載のパッケージングシステム。
【請求項１６】
１つ以上の分配機器を共用するようになっている複数の作動的に協働するパッケージングラインを更に備え、
次の製造目的、すなわち、
・造り分け（ｐｒｏｄｕｃｔｉｏｎ  ｄｉｆｆｅｒｅｎｔｉａｔｉｏｎ）（ここで、分配機器は異なるラインレシピを同時に実現するように共用される）と、
・バックアップ（ここで、分配機器は、あるパッケージングラインから別のパッケージングラインにパッケージの流れを向け直し、分配機器のメンテナンスおよびブレークダウン管理を可能にするように共用される）と、
・フローのマージ（ここで、分配機器は２つのパッケージのフローを１つにマージし、製造に関与する分配機器の数を少なくするように共用される）とのうちの１つ以上を達成するように作動的に共用するようになっている、請求項１から１５のうちのいずれか一項に記載のパッケージングシステム。
【請求項１７】
前記ラインコントローラは、すべてのパッケージングラインに対して共通したものとなっている、請求項１６に記載のパッケージングシステム。
【請求項１８】
各パッケージングラインのためのスレーブラインコントローラと、前記スレーブラインコントローラに結合されたマスターラインコントローラとを含む、請求項１６に記載のパッケージングシステム。
【請求項１９】
前記ラインコントローラと協働し、製造に関与する前記充填マシンおよび前記分配機器の作動上の性能をモニタし、リアルタイムおよび／または履歴性能の分析を可能にするようになっている、パッケージングラインモニタシステム（ＰＬＭＳ）を更に含む、請求項１〜１８のうちのいずれか１項に記載のパッケージングシステム。
【請求項２０】
前記パッケージングラインモニタシステムは、履歴データベースにログインされたデータに基づき、グラフィカルユーザーインターフェース（ＧＵＩ）を介して実現可能な製品トレーサビリティおよびプロセスモニタ機能を更に提供するようになっている、請求項１９に記載のパッケージングシステム。
【請求項２１】
前記製品トレーサビリティ機能は、オペレータの要求時に入力できるか、または機器の事象に基づき自動的にリクエストできるグラフィカルオペレータシートの提供、および前記充填マシンにログされたデータに基づくグラフィカルオペレータシートレポートの提供を含み、前記オペレータシートレポートは、製造中のプロセスパラメータおよびクリティカル制御ポイントのモニタを可能にする、請求項２０に記載のパッケージングシステム。
【請求項２２】
前記製品トレーサビリティ機能は、データロギング時間を中央時間同期化システムに対して同期化することを更に含む、請求項２０または２１に記載のパッケージングシステム。
【請求項２３】
前記充填マシンは、１つの、または異なる食品を含む１つのまたは異なるタイプのシールされたパッケージを選択的に製造するように作動できる、請求項１〜２２のうちのいずれか１項に記載のパッケージングシステム。
【請求項２４】
請求項１〜２３のうちのいずれか１項に記載のパッケージングシステムで使用するためのラインコントローラ。
【請求項２５】
請求項２４の前記ラインコントローラの前記処理システムのメモリ内にロードでき、前記ソフトウエアアプリケーションのうちの一つ以上を含む、ソフトウエアプログラム。
【発明の詳細な説明】
【技術分野】
【０００１】
（本発明の技術分野）
本発明は、一般的には食品のパッケージングに関し、より詳細には、注入可能な食品のシールされた状態での連続的パッケージングに関する。
【背景技術】
【０００２】
（背景技術）
知られているように、食品パッケージングプラントの工場のフロアでは、工場に入る食品およびパッケージング材料の保管、食品処理、食品パッケージング（包装）およびパッケージの倉庫保管を含む、特定目的の数種のプロセスが一般に実行される。注入可能な食品を参照すると、パッケージングラインでは食品のパッケージングが実行され、パッケージングラインの各々は、パッケージを製造するための充填マシンと、それに続く１つ以上の所定のコンフィギュレーションの下流側分配機器、例えばアキュムレータ、ストローアプリケータ、フィルムラッパーおよび段ボールパッカーを含み、これら機器はパッカーを取り扱いできるよう、コンベアを介して充填マシンに接続されている。
【０００３】
このタイプのパッケージの代表的な一例は、テトラブリックアセプティック（Tetra Brik Aseptic）（登録商標）として知られる液体または注入可能な食品のための平行六面体の形状をしたパッケージであり、このパッケージは、パッケージ材料から構成されたラミネートされたウェブを折りたたみ、かつシールすることによって製造される。
【０００４】
パッケージング材料は一般に繊維材料、例えば紙またはミネラルが充填されたポリプロピレン材料から製造された１つ以上の剛性化かつ強化ベース層を一般に含む多層シート構造体を有し、このベース層の両側は多数の熱シールプラスチック材料層、例えばポリエチレンフィルムによってカバーされている。長期保存食品、例えばＵＨＴミルクのための無菌状態のパッケージの場合、パッケージ材料はガスおよび光バリア材料層、例えばアルミフォイルまたはエチルビニールアルコール（ＥＶＯＨ）フィルムも含み、このバリア材料層は熱シールプラスチック材料層上に重ねられ、このバリア材料層は次に食品に最終的に接触するパッケージの内側面を形成する別の熱シールプラスチック材料層によってカバーされる。
【０００５】
このタイプのパッケージは、完全自動充填マシンで製造され、このマシンでは過酸化水素溶液のような化学的殺菌剤を塗布することにより殺菌される、ウェブとして送られるパッケージング材料から、連続的な垂直チューブが形成され、この殺菌剤は、一旦殺菌が完了すると、パッケージング材料の表面から加熱によって除去、例えば蒸発されるようになっており、殺菌されたウェブは、閉じられた無菌環境内に維持され、垂直チューブを形成するように折りたたまれ、長手方向にシールされる。次に、このチューブには殺菌されるか、または無菌処理された注入可能な食品が下方向に充填され、このチューブは、成形ステーションまで垂直パスに沿って送られ、成形ステーションにおいて、チューブは２対のジョーにより等間隔の横断面に沿ってグリップされる。これらジョーは、チューブに周期的かつ連続的に作用し、チューブのパッケージング材料をシールし、横方向シールストリップにより互いに接続されたピローパックの連続ストリップを形成する。相対的シールストリップを切断することにより、ピローパックは互いに分離され、最終折りたたみステーションまで運搬され、最終折りたたみステーションにおいてこれらパックは、仕上げられたパッケージ、例えば実質的に平行六面体形状のパッケージとなるように機械的に折りたたまれる。
【０００６】
上記方法とは異なり、複数のブランクとなるようにパッケージング材料をカットし、これらブランクを成形スピンドル上でパッケージとなるように成形し、これらパッケージに食品を充填し、シールしてもよい。このタイプのパッケージの一例として、テトラレックス（Tetra Rex）（登録商標）として知られるいわゆる「ゲーブルトップ」パッケージがある。
【０００７】
現行の第一世代のパッケージングラインは、一般に、制御装置が集中化されておらず、コンフィギュレーションフレキシビリティが不良であるか、または全くなく、通信チャンネルおよび自動化ソリューション並びにハードウェアが異なり、一般に充填マシンおよび各分配機器においてラインの自動化ソフトウェアをカスタム化しなければならない。
【発明の概要】
【発明が解決しようとする課題】
【０００８】
従って、現行のパッケージングライン自動化および制御システムは、食品の安全性およびトレーサビリティに対する、次第に増加する市場の要求、およびより高くなる製造の多様性を満たすのに必要なフレキシビリティおよび機能上の特徴を提供できない。
【０００９】
しかしながら、遺産となった自動化および制御システムの多くは、それらの年式が旧いにも係わらず、アップグレードを保証する有益な機能を提供し続けている。これらシステムは、莫大な資金投資を必要としているが、製造管理者はこのような投資を引き伸ばしている。
【００１０】
従って、パッケージングプラントの自動化の進展、特に、例えば自動化制御が集中化され、ロバストであり、コンフィギュレーションのフレキシビリティが高められており、通信チャンネルおよび自動化ソリューション並びにハードウェアが同じであり、および充填マシンおよび分配機器においてラインの自動化ソフトウェアをカスタム化する必要がない、統合されたソリューションを特徴とする新世代のパッケージングラインに対するニーズが更に高まっていることが感じられる。
【００１１】
（発明の目的および概要）
本発明の目的は、上記ニーズを満たす新世代のパッケージングラインを提供することにある。
【課題を解決するための手段】
【００１２】
この目的は、特許請求の範囲に記載のパッケージングシステムに関するものである本発明によって達成される。
【００１３】
次に、本発明についてより良好に理解するため、添付図面（すべての図面が同じ縮尺となっているわけではない）を参照し、純粋に例として示し、限定的と見なすべきでない好ましい実施形態について説明する。
【図面の簡単な説明】
【００１４】
【図１】本発明の第１実施形態に係わる統合されたパッケージングシステムを略図で示す。
【００１５】
【図２】図１のパッケージングシステムの全体のアーキテクチャを示すブロック図である。
【００１６】
【図３】図１のパッケージングシステムのイーサネット（登録商標）ネットワークの全体のトポロジーを示すブロック図である。
【００１７】
【図４】図１のパッケージングシステムの分配機器のレイアウトを略図で示す。
【００１８】
【図５】本発明の第１実施形態に係わる統合されたパッケージングシステムの異なる略式レイアウトのうちの１つを示すブロック図である。
【００１９】
【図６】本発明の第１実施形態に係わる統合されたパッケージングシステムの異なる略式レイアウトのうちの１つを示すブロック図である。
【００２０】
【図７】本発明の第１実施形態に係わる統合されたパッケージングシステムの異なる略式レイアウトのうちの１つを示すブロック図である。
【００２１】
【図８】本発明の第１実施形態に係わる統合されたパッケージングシステムの異なる略式レイアウトのうちの１つを示すブロック図である。
【００２２】
【図９】パッケージングラインにおけるソフトウェアのモデュラーアーキテクチャを示すブロック図である。
【００２３】
【図１０】パッケージングラインをコンフィギュレートする間のグラフィカルユーザーインターフェースの異なるコンフィギュレーションウィンドーのうちの１つを示す。
【００２４】
【図１１】パッケージングラインをコンフィギュレートする間のグラフィカルユーザーインターフェースの異なるコンフィギュレーションウィンドーのうちの１つを示す。
【００２５】
【図１２】パッケージングラインをコンフィギュレートする間のグラフィカルユーザーインターフェースの異なるコンフィギュレーションウィンドーのうちの１つを示す。
【００２６】
【図１３】パッケージングラインをコンフィギュレートする間のグラフィカルユーザーインターフェースの異なるコンフィギュレーションウィンドーのうちの１つを示す。
【００２７】
【図１４】パッケージングラインをコンフィギュレートする間のグラフィカルユーザーインターフェースの異なるコンフィギュレーションウィンドーのうちの１つを示す。
【００２８】
【図１５】パッケージングラインをコンフィギュレートする間のグラフィカルユーザーインターフェースの異なるコンフィギュレーションウィンドーのうちの１つを示す。
【００２９】
【図１６】パッケージングラインをコンフィギュレートする間のグラフィカルユーザーインターフェースの異なるコンフィギュレーションウィンドーのうちの１つを示す。
【００３０】
【図１７】スタートポリシーを実施するためにラインコマンダーと分配機器との間で交換されるコマンドおよび回答メッセージを示す。
【００３１】
【図１８】ストップポリシーを実施するためにラインコマンダーと分配機器との間で交換されるコマンドおよび回答メッセージを示す。
【００３２】
【図１９】パッケージフロー制御ポリシーを実施するためにラインコマンダーと分配機器との間で交換されるコマンドおよび回答メッセージを示す。
【００３３】
【図２０】パッケージフロー制御ポリシーを実施するためにラインコマンダーと分配機器との間で交換されるコマンドおよび回答メッセージを示す。
【００３４】
【図２１】パッケージフロー制御ポリシーを実施するためにラインコマンダーと分配機器との間で交換されるコマンドおよび回答メッセージを示す。
【００３５】
【図２２】レシピコンフィギュレーション機能に関連するコンフィギュレーションウィンドーを示す。
【００３６】
【図２３】２つの異なるラインレシピのうちの１つに関連する初期、中間および最終パッケージの例を示す。
【００３７】
【図２４】２つの異なるラインレシピのうちの１つに関連する初期、中間および最終パッケージの例を示す。
【００３８】
【図２５】ラインレシピ定義プロセスを示すブロック図である。
【００３９】
【図２６】コンベア設定機能に関連するコンフィギュレーションウィンドーを示す。
【００４０】
【図２７】コンベア潤滑およびクリーニング機能に関連するコンフィギュレーションウィンドーを示す。
【００４１】
【図２８】ＰＬＭＳセンターによって実行されるタスクを略図で示す。
【００４２】
【図２９】ＰＬＭＳセンターによって実行されるパッケージトレーサビリティタスクを示すブロック図である。
【００４３】
【図３０】本発明の第２実施形態に係わる統合されたパッケージングシステムの異なる略式レイアウトのうちの１つを示すブロック図である。
【００４４】
【図３１】本発明の第２実施形態に係わる統合されたパッケージングシステムの異なる略式レイアウトのうちの１つを示すブロック図である。
【００４５】
【図３２】本発明の第２実施形態に係わる統合されたパッケージングシステムの異なる略式レイアウトのうちの１つを示すブロック図である。
【００４６】
【図３３】本発明の第２実施形態に係わる統合されたパッケージングシステムの異なる略式レイアウトのうちの１つを示すブロック図である。
【００４７】
【図３４】本発明の第２実施形態に係わる統合されたパッケージングシステムの異なる略式レイアウトのうちの１つを示すブロック図である。
【発明を実施するための形態】
【００４８】
（発明の好ましい実施形態の詳細な説明）
次の説明は、当業者が本発明を実施できるように記載したものである。当業者であれば、特許請求の範囲に記載の本発明の範囲から逸脱することなく、実施形態に対する種々の変形が容易に明らかとなろう。従って、本発明は、図示した実施形態だけに限定すべきでなく、むしろ本明細書に開示し、特許請求の範囲に記載した原理および特徴に一致する最も広い範囲に従うべきである。
【００４９】
図１は、本明細書の一実施形態に係わる統合された単一ラインのパッケージングシステム（ＰＳ）の略式レイアウトを示す。このパッケージングシステムは、
・パッケージングライン（ＰＬ）（このパッケージングラインは、充填マシンまたは機器（ＦＭ）と、それに続く１つ以上の定義されたコンフィギュレーションの下流側の分配機器（ＤＥ）を備え、この分配機器として、例えばアキュムレータ、ストローアプリケータ、キャップアプリケータ、ハンドルアプリケータ、段ボールパッカー、フィルムラッパー、コンフィギュレーションスイッチ、ダイナミックスイッチおよびパレットシステムがあり、これらはコンベア（Ｃ）を介して互いに、または充填マシン（ＦＭ）にカスケード接続されており、これらはすべて、それ自体公知であるので、以下、詳細には説明しない。特に充填マシンは１つまたは異なるタイプのシールされたパッケージを選択的に製造するようになっており、シールされたパッケージは、注入によりパッケージ内に導入される１つまたは異なる食品を含み、更にこれらシールされたパッケージは、少なくとも１つの剛性化および強化ベース層と、１つ以上の熱シールプラスチック層を含む多層シート（ラミネートされた）パッケージング材料から構成されており、各分配機器は、到着する個々のまたはグループの、シールされたパッケージに対して対応するパッケージング作業を実行するようになっている）と、
・製造中のパッケージングラインの性能および製品のトランスポートを改善するよう、充填マシンと分配機器との間の相互作用を最適にする目的を有する、パッケージングラインのコンフィギュレーション、通信および制御を管理するように設計され、かつプログラムされた第２コントローラ（ＬＣ）と、
・ラインコントローラと協働し、パッケージングラインの作動上の性能を測定し、分析し、最適にするよう設計されたプログラムされたパッケージングラインモニタシステム（ＰＬＭＳ）センターと、
・充填マシンおよび分配機器の作動に関する基本的なビジュアル情報、例えば製造情報、機器の停止、材料のリクエスト、ラインのフェーズなどを提供するように設計された共通オーバーヘッドメッセージディスプレイと、
・共通通信チャンネルインフラストラクチャ（このインフラストラクチャは、例えば星形トポロジーを有し、ラインコントローラを充填マシン、分配機器およびメッセージディスプレイに接続するように設計された、交換機に基づくイーサネットネットワークと、ラインコントローラをＰＬＭＳセンターに接続するようになっているイーサネットネットワークと、ラインコントローラをコンベアに接続するようになっているフィールドバス（Fieldbus）、例えばDeviceNet（登録商標）ネットワークと、ラインコントローラをコンベア潤滑ユニットに接続するようになっているデジタルＩ／Ｏと、ラインコントローラ内のゾーンに基づく安全ＰＬＣ、充填マシン、分配機器およびコンベアの間の安全シリアル通信を行い、統合された製造システムにおける法律上の条件（例えばＩＳＯ11161、カスタマーサイトにおけるパッケージングラインのＣＥマーキング）を容易に満たすことができるようにする安全バスとを含む）とを備える。
【００５０】
図２は、パッケージングシステムの全体のアーキテクチャを略図で示すが、図３は、イーサネットネットワークの全体のトポロジーを略図で示し、図１と同じ参照番号は同じ要素を示す。
【００５１】
図４は、分配機器を略図で示し、この分配機器には、抵抗器を使用した待ち行列フォトセルセンサ（オーバーフローセンサ）および抵抗器を使用したフォトセルカウントセンサ（スピードセンサ）が設けられたインフィードコンベアと、抵抗器を使用した待ち行列フォトセルセンサが設けられたアウトフィードコンベアと、インフィードコンベアおよびアウトフィードコンベアを別々に制御し、一様かつ標準的なインターフェースを提供するようになっているローカル制御ソフトウェアモジュールを記憶し、実行するようになっているローカルプログラマブルロジックコントローラ（ＰＬＣ）とが設けられている。
【００５２】
（分配機器のインフィードコンベアおよびアウトフィードコンベアを除き、従って分配機器のコンベアと見なしてはならない）パッケージングライン内の各コンベアは、バイパスタイプでもよいし、スイッチ（切り替え）タイプでもよいし、トランスポータータイプでもよく、次にトランスポータータイプは、アキュムレーションタイプまたは簡単なスタート／ストップタイプでもよい。各コンベアは、ラインコントローラによって直接電子的に制御され、各コンベアには自動化分配コンセプトおよびフィールドバス技術に基づくコンベアマネージャー、周波数コンバータユニットおよびＩ／Ｏユニットリモートが装備されたコンベアモータおよびデージーチェーントポロジーに基づく配電装置（３８０Ｖおよび２４Ｖ）が設けられている。
【００５３】
後により詳細に説明するように、ラインレシピとも称される同じ製造バッチ中に同じコンフィギュレーションをとるように、パッケージのフローパスをコンフィギュレーションスイッチがスタティックに定める。より詳細には、コンフィギュレーションスイッチの位置は、選択されたラインレシピに対応するパッケージングラインの初期コンフィギュレーション中に、手動で、または自動的に定められる。
【００５４】
同じ製造バッチ中にパッケージングラインが異なるコンフィギュレーションをとることができるように、ダイナミックスイッチがパッケージフローパスをダイナミックに定める。より詳細には、製造フェーズ中に作動位置を変更するよう、ダイナミックスイッチを手動で、または自動的に操作することができるが、このスイッチは、製造中にフローを連続的に制御するためのデバイスではない。例えばパッケージングラインの混雑を解消するように、パッケージフローをバックアップ分配機器に向けなおすのに、ダイナミックスイッチを使用することができる。
【００５５】
図５〜８は、パッケージングラインの４つの異なる例を示す。特に図５は、ストレートなパッケージングラインを示し、このパッケージングラインは充填マシンと、アキュムレータと、段ボールパッカーと、段ボールトレーラッパーとを順に含む。図６は、あるパッケージングラインを示し、このパッケージングラインは、充填マシンと、アキュムレータと、第１コンフィギュレーションスイッチと、キャップアプリケータおよびストローアプリケータ（これらアプリケータは作動的に互いに平行に配置されており、かつ選択的に作動できる）と、第２コンフィギュレーションスイッチと、段ボールパッカーとを順に備え、２つのコンフィギュレーションスイッチによって２つの異なるパス、従って２つの異なるパッケージフローを交互に選択できるようになっている。すなわち一方のパスがキャップアプリケータを含み、他方のパスがストローアプリケータを含むようにでき、これらアプリケータは、一体的には働くことはできないようになっている。図７は、あるパッケージングラインを示し、このパッケージングラインは、充填マシンと、アキュムレータと、第１コンフィギュレーションスイッチと、フィルムラッパーおよびバイパスコンベア（これらフィルムラッパーとバイパスコンベアとは作動的に互いに平行に配置されている）と、第２コンフィギュレーションスイッチと、段ボールパッカーとを順に備える。２つのコンフィギュレーションスイッチによってフィルムラッパーをバイパスし、よって２つの異なるパス、すなわち２つの異なるパッケージフローを選択的に提供できるようになっている。すなわち一方のフローがフィルムラッパーを含み、他方のフローがフィルムラッパーは含まないようにできる。図８は、あるパッケージラインを示し、このパッケージラインは、充填マシンと、アキュムレータと、第１ダイナミックスイッチと、第１キャップアプリケータおよび第２キャップアプリケータ（これらキャップアプリケータは作動的に互いに平行に配置されている）と、第２ダイナミックスイッチと、段ボールパッカーとを順に備える。これら２つのダイナミックスイッチによって２つのキャップアプリケータを同時に使用することが可能となっており、よって単一のパッケージフローを提供できる。
【００５６】
ラインコントローラは、ディスプレイパネルおよびキーボードから構成されたヒューマンマシンインターフェース（ＨＭＩ）が装備されたスタンドアローンのコンソールまたはキャビネットと、ＰＬＣに基づく制御システムとを含み、この制御システムは、パッケージングラインの作動を制御し、監督するよう、標準的通信を介し、充填マシンおよび分配機器内のローカルソフトウェアモジュールと協働するようになっているモジュラーアーキテクチャのソフトウェアアプリケーションまたはツールを記憶し、実行するようになっている。モジュラーアーキテクチャのソフトウェアおよび標準インターフェースにより、単一機器のソフトウェアをカスタム化することなく、異なるパッケージングラインの複雑性（充填マシンおよび分配機器の異なるレイアウトおよびバラエティ）を管理できるようになっている。前の世代のパッケージングラインと比較し、これによって充填マシンおよび分配機器内の標準的ソフトウェアを維持すると共に、カスタム化されたパラメータのすべてをラインコントローラ内に集めることが可能となっている。このことの利点は、充填マシンおよび分配機器内で高レベルの標準化を行うことができることであり、従って、これらマシンおよび機器のメンテナンスが容易となることである。本発明の目的のために、「ソフトウェアアプリケーション」なる表現は、ユーザーが実行したいタスクに対し、コンピュータの能力を直接使用する、定義されたあるサブクラスのコンピュータソフトウェアを意味する。
【００５７】
図９は、ラインコントローラ内、および充填マシンおよび分配機器内のモジュラーアーキテクチャのソフトウェアを示すブロック図である。
【００５８】
詳細には、ラインコントローラ内の特定アプリケーションは、
・製造フロアにおける有効なパッケージングラインの設置、スタートおよびチューニングを低減し、かつ安全にするようになっている、サポート可能な「プラグアンドプレイ」ツールであるラインコンフィギュレータと、
・製造中のパッケージングラインの働きおよび製品のフローを最適にするようになっているマスターコントローラツールであるラインコマンダーと、
・使用が容易なパッケージングラインリソースおよび材料を改善することにより、製造フレキシビリティに適応するようになっているマネージメントツールであるレシピマネージャーと、
・コンベアに沿った製品のトランスポートを最適にするようになっているツールであるコンベアオプティマイザーとを備える。
【００５９】
ラインコンフィギュレータは、次の４つの異なるコンフィギュレーション機能、すなわち
・マシンの検出
・レイアウトコンフィギュレート化
・レイアウトの関連付け
・ラインの設定
をオペレータまたは専門技術者が選択／実現できるようにするグラフィカルユーザーインターフェース（ＧＵＩ）を提供するようになっているソフトウェアアプリケーションもある。
【００６０】
これらすべての機能は、コンフィギュレーションおよびチューニング時間を低減しながら、スタートフェーズ中のパッケージングラインの「プラグアンドプレイ」機構およびフレキシブルなパラメータ化を可能にする。
【００６１】
図１０〜１６は、上記マシンの検出、レイアウトのコンフィギュレーション化およびレイアウトの関連付け機能に関連する、パッケージングラインのコンフィギュレート化中のグラフィカルユーザーインターフェースのコンフィギュレーションウィンドーの例を示す。
【００６２】
コンフィギュレーションウィンドーのすべては、底部領域に複数のソフトキーをディスプレイしており、これらソフトキーは並置されており、言語およびパスワード設定に関連するソフトキーと、アラーム設定に関連するソフトキーと、包括的オペレータに許可されている設定に関連するソフトキーと、専門技術者だけに許可されている設定に関連するソフトキーと、上記レシピマネージャーに関連するソフトキーと、上記ラインコンフィギュレータに関連するソフトキーと、コンフィギュレーションウィンドーをオペレータが移動できるようにするナビゲーションソフトキーとを順に含む。
【００６３】
図１０は、マシン検出機能に関連するコンフィギュレーションウィンドーを示す。グラフィカルユーザーインターフェースの頂部右コーナーにディスプレイされているマシン検出ソフトキーをオペレータがクリックすると、ラインコンフィギュレータは、パッケージングライン内の充填マシン、分配機器およびコンベアを自動的に検出し、識別し、それらの製造能力をアップロードする。このようにするために、ラインコンフィギュレータは、パッケージングライン内の充填マシンおよび分配機器に識別リクエストを送り、これら充填マシンおよび分配機器は、共通通信ネットワーク内のそれらのアドレスをラインコントローラに送ることによって回答する。これに基づき、ラインコンフィギュレータは、充填マシンおよび分配機器のアイデンティティおよび製造情報をプローブし、これら充填マシンおよび分配機器は、これらのＩＤカードメッセージを送り返す。図１０に示された例は、ＩＰアドレス１０．０．０．２５．を有する充填マシン（ＦＭ）の検出に関連するものである。
【００６４】
パッケージングライン内の充填マシン、分配機器およびコンベアが検出され、識別され、これらの作動パラメータがアップロードされると、パッケージングラインのレイアウトをグラフィックで構築するためのレイアウトコンフィギュレーションソフトキーを、オペレータがクリックできるようになる。図１１は、レイアウトコンフィギュレーション機能に関連するコンフィギュレーションウィンドーを示す。特にオペレータがグラフィカルユーザーインターフェースの頂部右コーナーにディスプレイされているレイアウトコンフィギュレーションソフトキーをクリックすると、レイアウトグラフィカルエディターが提供される。このエディターは、オペレータがラインコントローラのディスプレイに充填マシンおよび個々の分配機器およびコンベアを描くことにより、パッケージングラインのレイアウトをグラフィックで作成し、かつそれらの製造／作動パラメータを設定できるようにする。特にグラフィカルユーザーインターフェースは、マトリックス状に配置された正方形のディスプレイピクセルに分割されたディスプレイエリアを提供するようになっており、異なるタイプの充填マシン、分配機器およびコンベアのグラフィック表示、および製造／作動機能（これらの各々は適当なデータベースに記憶される）を順次ディスプレイするよう、オペレータがディスプレイピクセルを繰り返しクリックするだけで、パッケージングラインのレイアウトのグラフィック描画を作成できる。
【００６５】
一旦パッケージングラインのレイアウトが完全にグラフィック描画されると、充填マシン、分配機器およびコンベアのグラフィック表示と、実際のパッケージングライン内の識別された充填マシン、分配機器およびコンベアとを関連付けるよう、オペレータがレイアウト関連付けソフトキーをクリックすることが認められる。図１２はレイアウト関連付け機能に関連するコンフィギュレーションウィンドーを示す。特にオペレータがグラフィカルユーザーインターフェースの頂部右コーナーにディスプレイされているレイアウト関連付けソフトキーをクリックすると、オペレータが、充填マシン、分配機器およびコンベアのグラフィック表示を１つずつグラフィックで選択し、更に選択されたグラフィック表示と、識別された充填マシン、分配機器およびコンベアとを関連付けることが可能となる。選択されたピクセルにディスプレイされている充填マシン、分配機器およびコンベアのグラフィック表示と、検出された充填マシン、分配機器およびコンベアとの関連付けは、誤った関連付け、すなわちコンフィギュアすべき実際のパッケージングライン内に現実には存在していない充填マシン、分配機器またはコンベアとの関連付けを防止するためのマッチチェックを含む。図１２に示された例では、白いバックグラウンドと共に示された２つの選択されたピクセルと、ＴＰ  Ａ３／ＦＬＥＸ充填マシンとの関連付けに関係するものである。
【００６６】
充填マシン、分配機器およびコンベアのすべてのグラフィック表示と、対応する識別された充填マシン、分配機器およびコンベアとが一旦関連付けされ、更に専門技術者によってラインレシピが作成された後に、レシピマネージャーに関連する図２２〜２６を参照して以下詳細に説明するように、グラフィカルユーザーインターフェースの底部エリアにディスプレイされているライン設定ソフトキーをクリックすることにより、専門技術者によってパッケージングラインをコンフィギュアできる。図１３〜１６は、ライン設定機能に関連するコンフィギュレーションウィンドーを示す。特に専門技術者がライン設定ソフトキーをクリックすると、グラフィカルユーザーインターフェースは次の３つの異なるコンフィギュレーション機能、すなわち
・ラインチューニングと、
・充填マシンのモードと、
・アキュムレーションモードを選択し、実施することを可能にする。
【００６７】
特に図１３および１４は、ラインチューニング機能に関連するコンフィギュレーションウィンドーを示す。専門技術者がラインチューニングソフトキーをクリックすると、グラフィカルユーザーインターフェースは、オペレータがアクティブな充填マシン、分配機器およびコンベア、並びに製造バッチに適応する製造パスを選択し、かつパッケージングラインの挙動を最適にするよう、スタートフェーズおよび製造フェーズ中に使用すべきパッケージングラインの異なる自動化パラメータおよびコンフィギュレーションをオンライン設定したり変更できるようする。チューニングおよび自動化パラメータのいずれも、コンパクトフラッシュ（登録商標）メモリカード内に記憶され、後に詳細に説明するように、ラインレシピが選択されたときにロードされる。図１３に示された例は、パッケージングラインの一般的パラメータ、例えば分配機器の公称容量およびオーバー容量、オーバーフローフォトセルセンサのフィルタ時間、スタート／ストップコマンドまでの遅れの設定に関するものであり、図１４は、パッケージングライン内の個々の各コンベアの特定パラメータの設定、例えばコンベアのタイプ、フォトセルセンサのパラメータ、パッケージの距離、加速時間などの設定に関するものである。
【００６８】
図１５は、充填マシンモードの機能に関係するコンフィギュレーションウィンドーを示し、充填マシンモード機能は、オペレータが充填マシンの選択可能な製造容量（１時間当たりのパッケージ数）、ダイナミック製造容量（１時間当たりのパッケージ数）および自動化再スタートのタイプ（手動／自動）を設定できるようにする。
【００６９】
図１６は、アキュムレーションモード機能に関係するグラフィカルユーザーインターフェースのコンフィギュレーションウィンドーを示し、このアキュムレーションモード機能は、パッケージングライン内の個々の各アキュムレータのパラメータ、例えばダイナミックスピード、パッケージ距離、充填マシンのレベルストップおよびレベルスタートなどに対して、パラメータを利用できるかどうかを、オペレータが設定できるようにする。
【００７０】
第２コントローラ内のソフトウェアアプリケーションに戻ると、このラインコマンダーは、パッケージングラインの働きを最適にし、かつパッケージのトランスポートを制御するようになっているソフトウェアアプリケーションである。パッケージの破損を防止し、特に分配機器の入口における長い待ち行列またはパッケージングラインの容量に対するパッケージのフローレートが大きいことによってパッケージが押し潰されてしまうのを防止し、無菌状態の完全性を保証するのに、この機能は極めて重要である。
【００７１】
特にスタート／ストップポリシーは、製造のスタート／ストップ過渡フェーズの間で分配機器の入口において、所定の値よりも長いパッケージの待ち行列が形成されるのを防止するよう、パッケージングライン内の充填マシンおよび分配機器のいずれかがスタート／ストップした後の、充填マシンおよび分配機器のスタート／ストップシーケンスおよび遅延を定める。このように、パッケージングラインの前の世代と比較し、本発明のラインコントローラは、充填マシンまたは分配機器のいずれかのスタート／ストップを早めるか、遅れさせるかを可能にするので、例えば分配機器内のパッケージの受け入れを早めたり、または上流側の充填マシンまたは分配機器の再スタートを遅れさせることができる。
【００７２】
フロー制御ポリシーはパッケージングラインにおけるパッケージの流れのダイナミック制御である。パッケージの調節および制御によって、パッケージ間またはパッケージユニット間で実質的に一定の距離を得ることが可能となり、よってアキュムレータの排出フェーズ中にパッケージングラインの容量が連続的に変化する間、任意の分配機器の入口において所定の値よりも長いパッケージの待ち行列が形成されること、およびパッケージが押し潰されることを防止できる。
【００７３】
分配機器のパッケージ流れおよび容量を制御できることによって、パッケージラインの容量を顧客のプラント（パレッタイザー、パレットラッパー、顧客の機器）の実際の容量に適応させることが可能となる。次に、この容量の適合化によって、パッケージのトランスポートのより良好な制御を保証する一定の流れでパッケージを処理することが可能となる。このような機能は、一定のパッケージ流れを形成することによって利用できる最大容量でパッケージを処理する分配機器を有する前の世代のパッケージラインと比較して、より高いフレキシビリティを保証する。パッケージのトランスポートを制御するためのパラメータはいずれも、パッケージラインのレイアウトごとに異なる。
【００７４】
特にラインコマンダーが製造中に次のタスクを実行するようになっている。
・パッケージングラインの監督：パッケージングラインのうちの充填マシン、分配機器およびコンベアの作動は、パッケージングラインの働きおよび製品のトランスポートを最適にするように監督される。共通オーバーヘッドメッセージディスプレイを介し、基本的なビジュアル情報、例えば製造情報、機器の停止、材料のリクエスト、ラインのフェーズなどが提供されるが、他方、ラインコントローラのディスプレイを介して詳細なビジュアル情報が提供される。ここでは、提供すべき情報に基づき、パッケージングラインの個々の部品が次のような異なるカラーとされた製造ページがディスプレイされる。
特に
−グリーン：製造
−グレー：ラインレシピには存在しない
−白色：準備
−グリーンの点滅：製造準備完了
−黄色：ブロック
−黄色の点滅：ブロッキング中；充填マシンまたは部品はパッケージを受けるか、または送るがアラームを発生する。
・コマンドディスパッチおよび自動的再スタート：充填マシンおよび分配機器のコンベアを除くパッケージングライン内の充填マシン、分配機器およびコンベアヘスタート／ストップコマンドがディスパッチされ、パッケージングライン内のスタートおよびストップフェーズをドライブするスタート／ストップポリシーに従ってラインコントローラによって直接制御される。例えば上流側分配機器から、もうパッケージが到着しなくなったとき、または下流側の分配機器がブロックされたときに、分配を停止し、パッケージが押し潰されたり破損するのを防止し、更に、分配機器のアウトフィードコンベア内で待ち行列フォトセルセンサが起動したときには、この分配機器が自律的に停止し、ラインコマンダーが上流側の分配機器を停止させる。
・作動パラメータの送信：パッケージングラインの働きおよび製品のトランスポートを最適にするよう、パッケージングラインの充填マシンおよび分配機器に作動パラメータが送信される。
・製品フロー制御ポリシー：充填マシンおよび各単一分配機器の容量をダイナミックに調節し、よってパッケージの待ち行列を最小にし、かつパッケージの累積を最適にすることにより、製造およびパッケージの流れを最適にするようなアルゴリズムが実施される。充填マシンおよび分配機器の作動ステートが収集され、製品流れ制御ポリシーに基づき、充填マシンおよび各分配機器のコマンドが発生される。例えば分配機器のインフィードコンベアにおいて、スピードフォトセルセンサが起動すると、分配機器は、その容量を高めるが、パッケージングラインのレベルでの行動には関与せず、分配機器のインフィードコンベアにおいてオーバーフローフォトセルセンサが起動すると、ラインコマンダーは上流側分配機器の容量を減少させる。
【００７５】
図１７および１８は、スタート／ストップポリシーを実施するために、ラインコマンダーと分配機器との間で交換されるコマンドおよび回答メッセージを示し、一方、図１９〜２１は、パッケージフロー制御ポリシーを実施するために、ラインコマンダーと分配機器との間で交換されるコマンドおよび回答メッセージを示す。
【００７６】
特に図１７は、自動スタート手順の間でラインコマンダーとアキュムレータと３つの下流側分配機器（それぞれ機器（ｉ−１）、機器（ｉ）および機器（ｉ＋１）と表示する）との間で交換されるコマンドおよび回答メッセージを示す。より詳細には、アキュムレータおよび分配機器が製造のための準備完了状態になったことをラインコマンダーに通知すると、ラインコマンダーはインフィード容量およびアウトフィード容量（本例ではいずれも２４.０００パッケージ数／時間に等しい）および充填マシンによる製造がスタートした旨の情報を含むコマンドをアキュムレータに送ることにより、アキュムレータを初期化する。次にアキュムレータがパッケージの受け入れおよび送り出しをスタートすると、アキュムレータは対応するメッセージを通してラインコマンダーに通知する。次にラインコマンダーは公称容量およびオーバー容量（本例ではそれぞれ２４.０００パッケージ数／時間および２４.０００＋ＭＡＸ％に等しい）および充填マシンによる製造がスタートした旨の情報を含むそれぞれのコマンドを３つの分配機器に送ることにより、これら３つの分配機器を初期化する。次に分配機器がパッケージの受け入れおよび送り出しをスタートすると、対応するメッセージを介してこれら分配機器はラインコマンダーに通知する。
【００７７】
図１８は、自動即時ストップ手順中に、図１７のラインコマンダーとアキュムレータと３つの分配機器との間で交換されるコマンドおよび回答メッセージを示す。詳細には、１つの分配機器（機器（ｉ）と表示されているもの）がブロック状態となると、このブロックされた分配機器からの対応するメッセージによるこの事象がラインコマンダーに通知される。このメッセージに応答し、ラインコマンダーは、ブロックされている分配機器から上流側の分配機器（本例では機器（ｉ−１）と表示されている）へ即時ストップコマンドをこの分配機器を即時に、例えば分配機器に既に送られているパッケージの処理を完了することなく停止し、ブロックされている分配機器の下流側の分配機器（本例ではこの分配機器は機器（ｉ＋１）と表示されている）へ通常のストップコマンドを送り、通常どおり、例えば分配機器へ既に送られているパッケージの処理を完了した後に、この分配機器を停止させる。分配機器されている分配機器から上流側の分配機器は、ラインコマンダーからのコマンドの受信を確認し、その後、対応するメッセージにより製造のための準備が完了した旨をラインコマンダーに通知する。次にラインコマンダーは、アキュムレータに即時ストップコマンドを送り、即時にアキュムレータを停止させ、アキュムレータは自律的にパッケージ受け入れ状態となり、対応するメッセージによりラインコマンダーに通知する。終了時に、オペレータの介入後、ブロックされている分配機器が作動状態に復帰すると、ブロックされていない分配機器は、対応するメッセージを介してラインコマンダーに通知する。
【００７８】
図１９は、充填マシンのすぐ下流側にある第１分配機器（本例では機器（ｉ）と表示されている）のインフィードコンベアの速度フォトセルセンサが附勢されたときに、ラインコマンダーと２つの下流側分配機器（機器（ｉ）および機器（ｉ＋１）と表示）との間で交換されるコマンドおよび回答メッセージを示す。図示するように、最初に、作動公称容量およびオーバー容量（本例ではそれぞれ２４.０００および２４.０００＋ＭＡＸ％パッケージ数／時間）を含むそれぞれのコマンドを２つの分配機器に送ることにより、ラインコマンダーはまずこれら２つの分配機器を初期化する。第１分配機器のインフィードコンベアの速度フォトセルセンサが附勢されると、第１分配機器は公称容量からオーバー容量へその作動容量を自律的に切り替え、対応するメッセージを送ることによってラインコマンダーに通知する。このメッセージに応答し、ラインコマンダーは作動容量を公称容量からオーバー容量に切り替える旨のコマンドを第２分配機器（機器（ｉ＋１））へ送る。しばらくした後に、第１分配機器（機器（ｉ））の速度フォトセルセンサを除勢しなければならず、この除勢が生じると、第１分配機器はその作動容量をオーバー容量から公称容量に自律的に切り替え、対応するメッセージを送ることによってラインコマンダーに通知する。このメッセージに応答し、ラインコマンダーは作動容量をオーバー容量から公称容量に切り替える旨のコマンドを第１分配機器（機器（ｉ＋１））を送る。
【００７９】
図２０は、双方の分配機器のインフィードコンベアの速度フォトセルセンサが附勢されたとき、および第２分配機器（機器（ｉ＋１））のインフィードコンベアのオーバーフローフォトセルセンサが附勢されたときの、図１９のラインコマンダーと２つの下流側分配機器との間で交換されるコマンドおよび回答メッセージを示す。このシナリオでは、２つの分配機器は、それらの作動容量を公称容量からオーバー容量に自律的に切り替え、それをラインコマンダーに通知することにより、図１９を参照して前に説明したのと同じように、それぞれの速度フォトセルセンサの附勢に応答する。第２分配機器（機器（ｉ＋１））のインフィードコンベアのオーバーフローフォトセルセンサが附勢されると、第２分配機器（機器（ｉ＋１））からの対応するメッセージによって、ラインコマンダーに通知がなされる。このメッセージに応答し、ラインコマンダーは、現在のオーバー容量を公称容量（本例では２４.０００パッケージ数／時間）に等しい値に低減するためのコマンドを、第１分配機器（機器（ｉ））に送る。しばらくした後に、第２分配機器（機器（ｉ＋１））のオーバーフローフォトセルセンサを除勢しなければならず、このことが起きると、第２分配機器（機器（ｉ＋１））からの対応するメッセージにより、そのことがラインコマンダーに通知される。このメッセージに応答し、ラインコマンダーは第１分配機器（機器ｉ））のオーバー容量の初期値（この場合２４.０００＋ＭＡＸ％）を回復する旨のコマンドを第１分配機器（機器ｉ））へ送る。
【００８０】
図２１は、中間分配機器（本例では機器（ｉ）と表示される）のインフィードコンベアの速度フォトセルセンサおよびオーバーフローフォトセルセンサの双方が附勢されたときに、ラインコマンダーとアキュムレータと３つの下流側分配機器（機器（ｉ−１）、機器（ｉ）および機器（ｉ＋１）と表示）との間で交換されるコマンドおよび回答メッセージを示す。図示するように、最初にラインコマンダーはインフィード容量およびアウトフィード容量（本例ではそれぞれ２４.０００および２４.０００＋ＭＡＸ％パッケージ数／時間）を含むコマンドをアキュムレータに送ることにより、アキュムレータを初期化し、作動公称容量およびオーバー容量（本例では双方は２４.０００＋ＭＡＸ％パッケージ数／時間に等しい）を含むそれぞれのコマンドを３つの分配機器に送ることにより、それら３つの分配機器を初期化する。第２分配機器（機器（ｉ））のインフィードコンベアの速度フォトセルセンサおよびオーバーフローフォトセルセンサの双方が附勢されると、第２分配機器（機器（ｉ））からの対応するメッセージにより、オーバーフローフォトセルセンサの附勢がラインコマンダーに通知される。ラインコマンダーは、このメッセージに応答し、アキュムレータのアウトフィード容量および第２分配機器のオーバー容量をアキュムレータのインフィード容量（本例では２４.０００パッケージ数／時間）に等しい値まで低減させる旨のコマンドを、アキュムレータおよび第１分配機器（機器（ｉ−１））へ送る。しばらくした後に、第２分配機器（機器（ｉ））のオーバーフロー除去センサを除勢しなければならず、この除勢が生じると、第１分配機器（機器（ｉ））からの対応するメッセージによりその旨がラインコマンダーに通知される。このメッセージに応答し、ラインコマンダーは、アキュムレータのアウトフィード容量および第１分配機器のオーバー容量（本例では２４.０００＋ＭＡＸ％パッケージ数／時間）の初期値を回復させるためのコマンドを、アキュムレータおよび第１分配機器（機器（ｉ−１））へ送る。
【００８１】
最後に、ラインコマンダーは、他の装置がまだウォームアップ中であるときに、充填マシンまたは関係する分配機器の完全なウォームアップを防止するようになっている省エネポリシーに従って、製造に関与する充填マシンおよび分配機器のウォームアップをスタートさせるようになっている。特にラインコマンダーは、周辺作動条件に基づき、充填マシンおよび関与する各分配機器に対し、ウォームアップスタート時間を設定できるようになっている。
【００８２】
ラインコントローラ内のソフトウェアアプリケーションの説明に戻ると、レシピマネージャーは、ラインコントローラを介してオペレータが選択したラインレシピを実行するようにパッケージングラインを自動的にコンフィギュアするようになっているソフトウェアアプリケーションであり、このラインレシピの実行中、パッケージングライン内の充填マシンおよび個々の分配機器の組が、所望する最終パッケージユニットを製造するために協働するように識別される。特に、パッケージングライン内の充填マシンおよび個々の各分配機器は、対応する充填マシンおよび分配機器内に記憶されている１つ以上の選択可能な機器のレシピを実施し、特定の中間パッケージユニットを製造できるようになっている。より詳細に説明すれば、充填マシン用の機器レシピは、充填マシンによって製造すべきシールされたパッケージのタイプを定め、他方、分配機器用の機器レシピは、個々のシールされたパッケージまたはシールされたパッケージのグループに対し、分配機器によって実行すべき作業を定める。
【００８３】
より詳細には、ラインレシピは次のものを指定する。すなわち、
・パッケージングラインのレイアウト（パッケージパス）、例えば最終パッケージユニットの製造に関与すべき分配機器およびコンベア
・充填マシンおよびそれに関与する分配機器によって実行すべき機器レシピ
・パッケージングラインの自動化パラメータ、例えばパッケージフローを制御するための、パッケージングラインで使用すべきパラメータ（コンベア速度、フォトセルのタイミング、制御／コマンドの遅延時間、充填マシンおよび分配機器の容量）を指定する。
【００８４】
他方、機器レシピは次のものを指定する。
・製造すべきシールされたパッケージまたはパッケージユニットの特性、または実行すべき作業を識別するレシピ定義パラメータを指定する。例えば段ボールパッカーに対して、これらパラメータはトレイ内のパッケージパターンおよびトレイのトポロジーを含むことができるが、充填マシンに対してこれらパラメータはパッケージのボリュームおよび形状、開放デバイスのトポロジーなどを含むことができる。
・レシピ定義パラメータによって定められるシールされたパッケージ、パッケージユニットまたは作業に対して固有の、レシピに従属する作業パラメータ、例えば速度、温度、圧力などを指定する。
【００８５】
ラインおよび機器レシピは、スケーリング可能でモジュラーなコンセプトに基づく。例えば機器レシピは、定義されたパッケージユニットを得るために各マシンまたは機器を必要とするすべての情報を収集し、他方、ラインレシピは、これら機器レシピを参照するだけである。このようにラインレシピは充填マシンおよび各分配機器の詳細なパラメータのすべてを直接含まなくてもよく、定義された組の機器レシピをリコールするだけである。
【００８６】
従って、図２２に示されるように、オペレータがラインコントローラのキーボードを介して、関連する名称またはＩＤコードによって識別される所望するラインレシピを選択すると、レシピマネージャーは、選択されたラインレシピに対応する所望する最終パッケージユニットの製造に関与すべき個々の中間パッケージユニットを決定するようになっている。これに基づき、レシピマネージャーは特定のパッケージングラインのレイアウト、例えば識別された中間パッケージユニットの製造のために実現すべき充填マシンおよび個々の各識別された分配機器において、関連する名称またはＩＤコードによって識別される選択されたラインレシピおよび個々の機器レシピに対応する所望する最終パッケージユニットの製造に関与すべきパッケージライン内の個々の分配機器の特定のコンフィギュレーションを決定する。個々の機器レシピが識別されると、レシピマネージャーは、上記コンパクトフラッシュメモリカード内に記憶されており、第２レシピに関連するパッケージングラインのチューニングおよび自動化パラメータをラインコントローラ内にアップロードし、実現すべきそれぞれの個々の機器レシピおよびアップロードされたチューニングおよび自動化パラメータを、製造開始前に充填マシンおよび識別された分配機器へダウンロードするようになっている。充填マシンおよび各識別された分配機器は、それぞれのコンパクトフラッシュメモリカードに記憶され、レシピマネージャーから受信した機器レシピに関連する作動パラメータをアップロードする。
【００８７】
図２３および２４は、ＲｅｄおよびＧｒｅｅｎの名称の２つの異なるラインレシピに関係する初期パッケージユニット、中間パッケージユニットおよび最終パッケージユニットの例であり、他方、図２５はラインレシピ定義を示す。
【００８８】
このようにするために、レシピマネージャーは次の機能を選択し、実行できるようにすると共に、次のタスクを実行できるようになっている。
・レシピコンフィギュレーション。このレシピコンフィギュレーションはオペレータがラインレシピを作成（定義／編集）し、ラインレシピを記憶できるようにすると共に、異なる作業、パッケージングラインのレイアウト定義、ラインおよび機器レシピの選択、パッケージングライン容量の定義などをレシピマネージャーソフトキーによって実行できるようにする。ラインレシピの作成を可能にするために、レシピマネージャーは充填マシンおよび分配機器から機器レシピに関連する製造／作動パラメータをアップロードするようになっており、図１６は、レシピコンフィギュレーション機能に関連するコンフィギュレーションウィンドーを示す。
・レシピの実行。このタスクは、作成されたラインレシピを、レシピマネージャーソフトキーにより選択し、スタートできるようにする。
・製造インターロッキング。このタスクは、キーとなる製造パラメータを制御する際の人への依存性を低減することを可能にする。
・マシンのインターロッキング。このタスクは、ラインレシピと機器レシピとの間のミスマッチを解消することを可能にする。
・レイアウトインターロッキング。このタスクは、レイアウトコンフィギュレーションにおけるミスマッチを解消することを可能にする。
・製造ラインのインターロッキング。このタスクは、充填マシンおよび関係する分配機器において、オペレータが導入する材料のタイプ（パッケージング材料、キャップ、ストロー、接着剤など）とラインレシピ内で定義される材料のタイプとのミスマッチを防止する。
・ＰＬＮデータハンドラー。このタスクは、選択されたラインレシピに関連する工場のフロアデータを後に詳細に説明する製品およびパッケージングラインモニタシステム（ＰＬＭＳ）センターに自動的に提供できるようにする。
【００８９】
ラインレシピパラメータ（製造で利用される原材料、単一分配機器のコンフィギュレーション）を自動的に制御できることは、パッケージングラインによって製造される最終パッケージユニットの品質レベルを高め、製造で使用される原材料のトレーサビリティを可能にする。別の特徴は、各レシピに対し、ラインコマンダーおよびコンベアオプティマイザーのために特定のライン自動化パラメータを使用することであり、このことは、ラインの性能を最適にすることを保証する。更にレシピマネージャーは、アクティブなラインレシピにおける正しいパラメータ化の使用を保証する。
【００９０】
再度、ラインコントローラにおけるソフトウェアアプリケーションを参照すると、コンベアオプティマイザーは、パッケージングラインに沿ったパッケージのトランスポートを最適にするようになっているソフトウェアアプリケーションである。特にコンベアオプティマイザーは、オペレータが次の機能を選択し、実行することを可能にする。
・コンベアセッティング。この機能は、ラインコントローラによって直接制御される、充填マシンおよび分配機器のコンベアを除く、パッケージングライン内の各コンベアの作動パラメータ、例えばコンベア速度、パッケージの幅、パッケージの距離、コンフィギュレーションスイッチのパラメータ、アキュムレーション機能などを、オペレータが設定できるようにする。図２６は、コンベア設定機能に関連するコンフィギュレーションウィンドーを示す。図２６に示された例は、コンベアＬＣＣ１の作動パラメータの設定に関するものである。
・潤滑およびクリーニング機能。この機能によって、コンベアの潤滑およびクリーニングユニットをオペレータが作動できるようにする。図２７は、コンベアの潤滑およびクリーニング機能に関係するコンフィギュレーションウィンドーを示す。
【００９１】
図１に戻ると、ＰＬＭＳセンターは、パッケージングライン内の充填機器および分配機器の作動の性能をモニタすると共に、プラントのフロアデータに基づき、作動機器の性能を最大にするようになっているデータ管理システムである。このＰＬＭＳは、作動機器の性能およびプロセスの挙動を分析するための強力で、かつ使用が容易なツールも提供する。パッケージングラインにおいて、作動性能データが自動的に捕捉され、ロギングされる。ローカルなマニュアル入力の相互対話はデータを包括的なものにする。工場のオフィスレベルへの情報の背信は、リアルタイムの監督および履歴分析を可能にする。ＰＬＭＳセンターは、停止時間の問題をタイムリーに識別することにより、最適結果を達成できるようにする。製造の性能の詳細な分析は、クリティカルな作動機器を識別し、チャートおよびレポートが最大の停止時間の理由を識別するためのツールとなる。
【００９２】
ＰＬＭＳセンターが提供する主な特徴の１つは、トレーサビリティおよびプロセスモニタ機能である。グラフィカルユーザーインターフェースを通して、製造処理の手書きドキュメントのＤＣ置換物であるオペレータシートが提供される。オペレータの要求時にデータを入力できるし、または機器の事象に基づき、システムによって自動的にデータをリクエストすることもできる。マニュアル入力によって、またはバーコードスキャナを利用してデータ入力を行うことができる。オペレータシート内にログインされるデータは、例えばオペレータ製造チェック、パッケージングラインが使用する材料、例えばパッケージング材料、ストリップ、キャップ、ストローなど、特殊な製造事象、例えばバッチＩＤ、バッチスタート、バッチストップなど、オペレータのＩＤ、ローカルに定められたカスタム事象などとすることができる。充填マシンでログインされたデータに基づき、ＰＬＭＳセンターは性能分析を実行し、オペレータシートレポートを提供する。このことは、製造中のプロセスパラメータおよびクリティカル制御ポイントのモニタを可能にする。プロセスモニタは、マシンのプロセス変数に対する高度なトラブルシューティングを実行する可能性を与える。
【００９３】
ＰＬＭＳセンターは、時間の同期化により、包括的なトレーサビリティも可能にする。実際にＰＬＭＳセンターはデータロギング時間を中央時間同期化システムに同期化する可能性を提供し、ＰＬＭＳデータロギングシステムクロックによって日付ユニットのクロックがローカルに同期化される。
【００９４】
より詳細には、図２８に示されるように、ＰＬＭＳセンターは次のタスクを実行するようになっている。
・性能分析
・リアルタイムのディスプレイ
・プロセス分析
・パッケージのトレーサビリティ、および
・製造実行システム（ＭＥＳ）インテグレータ
【００９５】
特に性能分析パスは、次のものを含む。
・グラフによる分析：
−パッケージングライン、充填マシンおよび分配機器の性能分析
−パッケージングラインおよび充填マシンの性能の比較
−効率分析
−ダウンタイム、廃棄および頻度分析、および
−トレンド
・レポートによる分析
−製造、廃棄、停止、サマリーレポート
−事象レポート
・オペレータシートレポート、および
・シフト、日、週、月または年による分析
【００９６】
リアルタイムのディスプレイタスクは次のものを含む。
・パッケージングラインの監督
−パッケージングラインのリアルタイムのステータスの概観
−充填マシンおよび分配機器のステータス
−製造されたパッケージのカウンター
−パッケージ廃棄の表示および
−機器事象のリスト
・短時間分析ツール
−現在および前のシフト／日にちの分析
−停止理由の上位１０のリスト、および
−メインライン性能の目安
【００９７】
プロセス分析タスクは次のものを含む。
・プロセス変数トレンド検査
−アナログ変数
−デジタル信号
−設定ポイントの値
・プロセス分析
−絶対値／相対値のためのカーソル
−変数の比較および
−ズーミングおよびパニング機能
【００９８】
パッケージトレーサビリティタスクは次のものを含む。
・パッケージごとのプロセスのトレーシング
−プロセスパラメータ
−設定ポイントの値および
−対応する適切な事象の履歴（停止、クリーニングなど）
・パッケージごとの材料の請求書（bill）
−オペレータのシート情報
−パッケージング材料／ストリップ／タブ／キャップおよび
−製品バッチＩＤ
【００９９】
ＭＥＳインテグレータタスクは、終了時にＸＭＬ企画に基づき、オープンインターフェースを提供し、次のものを含む。
・バッチごとのトラッキング
−性能インジケータ
−カウンターの値（製造されたパッケージ／ユニット、廃棄など）および
−適切な事象の履歴
・バッチごとの材料のリスト
−オペレータのシート情報
−パッケージング材料／ストリップ／タブ／キャップおよび
−製品バッチＩＤ
【０１００】
図２９は、ＰＬＭＳセンターが実行するパッケージトレーサビリティタスクをより詳細に示す。特定の製品に関する問い合わせを受信すると、履歴データベースにログインされており、充填マシンから来るデータに基づき、ＰＬＭＳセンターは、グラフィカルユーザーインターフェースのウィンドーにディスプレイされているチャートおよび温度、マシンの設計、製品レベル、最終の予備的殺菌、現場における最終のクリーニング（ＣＩＰ）、最終のストリップ、最終の停止などに関する情報を含むレポートを備える、異なる出力を提供できる。
【０１０１】
図３０〜３４は、本発明の第２実施形態に係わる統合されたパッケージングシステムの異なる略レイアウトを示し、図１における参照番号と同じ参照番号は、同じ要素を示す。
【０１０２】
図３０〜３４に示されたパッケージングシステムは、いわゆるマルチスイッチタイプとなっている点で、図１に示されたシステムと異なる。特に、複数の、作動的にスタンドアローンのパッケージングライン、すなわち分配機器を共用しないパッケージングラインが設けられているいわゆるマルチラインパッケージングシステムとは異なり、マルチスイッチパッケージングシステムは、複数の作動的に協働するパッケージングライン、すなわち１つ以上の分配機器を共用するように配置されたパッケージングラインを含み、よって顧客に対するフレキシビリティおよび製造の可変性を高めている。
【０１０３】
かかるマルチスイッチパッケージングシステムでは、選択されたラインレシピに対応する最終パッケージユニットの製造のために、製造に関与すべき充填マシンおよび分配機器の特定のコンフィギュレーション、および実現すべき充填マシンおよび関与する分配機器における個々の機器レシピを識別するように設計しなければならない。
【０１０４】
マルチスイッチパッケージングシステムは、充填マシンと分配機器との間の相互作用を最適にし、製造中のマルチスイッチパッケージングシステムの性能および製品のトランスポートを改善する目的で、すべてのパッケージングラインのコンフィギュレーション、通信および制御を管理するようにプログラムされた単一の共通ラインコントローラを有するシングルティア制御アーキテクチャまたは各パッケージラインのためのスレーブラインコントローラおよびスレーブラインコントローラのためのマスターラインコントローラを有する２ティア制御アークテクチャを含むことができる。単一ティア制御アーキテクチャでは、ＰＬＭＳセンターは、共通ラインコントローラと協働するようにプログラムされているが、２ティア制御アークテクチャではＰＬＭＳセンターは、マスターラインコントローラまたはスレーブラインコントローラ、またはマスターラインコントローラとスレーブラインコントローラの双方と協働するようにプログラムされている。
【０１０５】
食品パッケージング分野において、本出願人が行った包括的な調査によれば、以下のような顧客の要求を満たすには、マルチスイッチパッケージングシステムの主に３つのアーキテクチャトポロジーが必要であることが分かった。すなわち、
・造り分け（Production Differentiation）。図３０は、２つの単一パッケージングラインが１つの共通する段ボールパッカーを共用するようなレイアウトを備えた、マルチスイッチパッケージングシステムを示す。特に第１パッケージングラインは、充填マシンと、アキュムレータと、ストローアプリケータと、第１コンフィギュレーションスイッチと、この第１コンフィギュレーションスイッチから分岐して１つの段ボールパッカーにマージする第１および第２ブランチとを順に備え、第１ブランチはフィルムラッパーおよび第２コンフィギュレーションスイッチを備え、第２ブランチは第３コンフィギュレーションスイッチを含む。第２パッケージングラインは、充填マシンと、アキュムレータと、キャップアプリケータと、第１パッケージングラインの第２ブランチ内の第３コンフィギュレーションスイッチに接続された第４コンフィギュレーションスイッチとを順に含む。図３０に示されたレイアウトは、下記のような３つの可能なラインレシピを同時に実現することを可能にしており、これらラインレシピは、連続矢印、破線矢印および点線矢印で示されている。すなわち、
−第１ラインレシピ（連続矢印）。ここでは第１パッケージングラインだけを通過し、特に充填マシン、アキュムレータ、ストローアプリケータ、第１コンフィギュレーションスイッチ、第１ブランチおよび段ボールパッカーをパッケージが通過して流れるようになっている。
−第２ラインレシピ（破線矢印）。ここではパッケージは第１パッケージングラインだけ、特に充填マシン、アキュムレータ、ストローアプリケータ、第１コンフィギュレーションスイッチ、第２ブランチおよび段ボールパッカーを通過して流れる。
−第３ラインレシピ（点線矢印）。ここでは第２パッケージングライン内の充填マシンによって製造されたパッケージは、第２パッケージングラインを通過して流れ、更に第２および第３コンフィギュレーションスイッチを通って第１パッケージングライン内の段ボールパッカーへ向けなおされる。
図示されていない別のレイアウトでは、異なる形状のパッケージを製造するようになっている２つの充填マシンが、下流側の分配機器のすべてを共用してもよい。
・バックアップ。図３１は、１つのパッケージングラインからのパッケージの流れを別のパッケージングラインへ向けなおすことができるようにし、分配機器のメンテナンスおよび故障の場合のフレキシビリティを高めるようなレイアウトを備えたマルチスイッチパッケージングシステムを示す。特に図３１に示されたパッケージングシステムは、２つの同じ単一パッケージングラインを含み、各パッケージングラインは、充填マシンと、アキュムレータと、コンフィギュレーションスイッチと、ストローアプリケータと、段ボールパッカーとを順に含み、ここでは１つのパッケージングラインのストローアプリケータおよび段ボールパッカーが別のパッケージングラインの充填マシンによって製造されたパッケージに対して作動できるように、相互に接続されている。図３１に示されたレイアウトは、下記のような４つの可能なラインレシピを同時に実現できるようにし、これらラインレシピは連続矢印、破線矢印および点線矢印で示されている。特に、
−第１ラインレシピ（連続矢印）。ここではパッケージは、第１パッケージラインだけを通過して流れる。
−第２ラインレシピ（連続矢印）。ここではパッケージは、第２パッケージラインだけを通過して流れる。
−第３ラインレシピ（破線矢印）。ここでは第１パッケージングラインの充填マシンに沿って製造されたパッケージが、同じパッケージングライン内のアキュムレータと、相互に接続された２つのコンフィギュレーションスイッチと、第２パッケージライン内のストローアプリケータおよび段ボールパッカーとを通過して流れる。
−第４ラインレシピ（点線矢印）。ここでは第２パッケージングライン内の充填マシンによって製造されたパッケージは、同じパッケージングライン内のアキュムレータと、相互に接続された２つのコンフィギュレーションスイッチと、第１パッケージングライン内のストローアプリケータおよび段ボールパッカーとを通過して流れる。
・フローのマージ。図３２および３３は、２つのパッケージの流れを１つにマージし、製造に関与する分配機器の数を低減できるレイアウトを備えたマルチスイッチパッケージングシステムを示す。特に図３２に示されたマルチスイッチパッケージングシステムでは、２つのパッケージングラインの間で１つの共通するパレッタイザーを共用し、第１パッケージングラインは充填マシンと、アキュムレータと、キャップアプリケータとを含み、第２パッケージングラインは充填マシンと、アキュムレータと、キャップアプリケータと、マージャーと、段ボールパッカーと、段ボールトレイラッパーと、パレッタイザーとを含む。図３３に示されたマルチスイッチパッケージングシステムでは、２つの同じパッケージングラインの間で共通するパレッタイザーと共通するフィルムラッパーとを共用し、各パッケージングラインは充填マシンと、アキュムレータと、キャップアプリケータと、段ボールパッカーとを含む。図示されていない別のレイアウトでは、パッケージングラインは１つの共通するフィルムラッパーを共用し、各パッケージングラインは、充填マシンと、アキュムレータと、ストローアプリケータと、フィルムラッパーと、段ボールパッカーとを含む。これらパッケージングシステムでは、異なる製造容量で２つのパッケージングラインを同時に作動させてもよいし、またはある時間に１つだけを作動させてもよい。
【０１０６】
最後に、図３４は、上記マルチスイッチレイアウトのうちの２つ、例えばバックアップレイアウトと、製造変更レイアウトを具現化したマルチスイッチパッケージングシステムを示す。特に図３４に示されたパッケージングシステムは、別の形状のパッケージを製造するようになっている充填マシンを有するいくつかのパッケージングラインを示し、これらパッケージングラインのうちの２つには、プルタブシステムも装備されている。２つのパッケージングラインは更に、段ボールパッカーのみを備え、２つのパッケージングラインは更にキャップアプリケータおよび段ボールパッカーを備え、一方のパッケージングラインは更にストローアプリケータおよび段ボールパッカーを含む。最後に、すべての充填マシンは上記下流側の分配機器のすべてを共用する。
【０１０７】
最終的に特許請求の範囲に記載した発明の範囲に入る多数の変形および変更を本発明について行うことができることは明らかである。
【図１】
0005587208.tif 000002
【図２】
0005587208.tif 000003
【図３】
0005587208.tif 000004
【図４】
0005587208.tif 000005
【図５】
0005587208.tif 000006
【図６】
0005587208.tif 000007
【図７】
0005587208.tif 000008
【図８】
0005587208.tif 000009
【図９】
0005587208.tif 000010
【図１０】
0005587208.tif 000011
【図１１】
0005587208.tif 000012
【図１２】
0005587208.tif 000013
【図１３】
0005587208.tif 000014
【図１４】
0005587208.tif 000015
【図１５】
0005587208.tif 000016
【図１６】
0005587208.tif 000017
【図１７】
0005587208.tif 000018
【図１８】
0005587208.tif 000019
【図１９】
0005587208.tif 000020
【図２０】
0005587208.tif 000021
【図２１】
0005587208.tif 000022
【図２２】
0005587208.tif 000023
【図２３】
0005587208.tif 000024
【図２４】
0005587208.tif 000025
【図２５】
0005587208.tif 000026
【図２６】
0005587208.tif 000027
【図２７】
0005587208.tif 000028
【図２８】
0005587208.tif 000029
【図２９】
0005587208.tif 000030
【図３２】
0005587208.tif 000031
【図３３】
0005587208.tif 000032
【図３４】
0005587208.tif 000033
【図３０】
0005587208.tif 000034
【図３１】
0005587208.tif 000035